(57)【要約】      （修正有）【課題】制作者が映像信号レベルを簡易、正確に判断できる補助装置を提供する。【解決手段】映像調整システム１００（１００Ｂ）において、補助装置４０（４０Ｂ）は、基準レベル映像を生成する基準レベル映像生成部４１と、ＨＤＲ映像に対して、基準レベル映像生成部４１が生成した基準レベル映像を所定の表示位置に合成する映像合成部４３（４３Ｂ）と、を備える。映像合成部４３（４３Ｂ）は、表示画面とＨＤＲ映像とのアスペクト比が一致する場合、ＨＤＲ映像の周辺に表示位置が予め設定され、ＨＤＲ映像に対して表示画面が縦長又は横長となる場合、ＨＤＲ映像が表示されない表示画面の余白領域に表示位置が予め設定される。【選択図】図１
2019201321.tif 000002
【特許請求の範囲】
【請求項１】
高ダイナミックレンジ映像を表示する映像表示装置の表示画面の周辺部に、基準レベルを表す基準レベル映像を表示する基準レベル表示装置であって、
予め設定された前記基準レベルで前記基準レベル映像を生成する基準レベル映像生成部と、
前記高ダイナミックレンジ映像に対して、前記基準レベル映像生成部が生成した基準レベル映像を予め設定された表示位置に合成する映像合成部と、を備え、
前記映像合成部は、
前記表示画面と前記高ダイナミックレンジ映像とのアスペクト比が一致する場合、前記高ダイナミックレンジ映像の周辺の一部又は当該周辺の全部に重ねて、前記表示位置が予め設定され、
前記表示画面と前記高ダイナミックレンジ映像とのアスペクト比が一致せずに前記高ダイナミックレンジ映像に対して前記表示画面が縦長又は横長となる場合、前記高ダイナミックレンジ映像が表示されない前記表示画面の周辺となる余白領域の一部又は当該余白領域の全部に、前記表示位置が予め設定されることを特徴とする基準レベル表示装置。
【請求項２】
前記映像合成部は、前記表示画面と前記高ダイナミックレンジ映像とのアスペクト比が一致する場合、前記高ダイナミックレンジ映像の周辺に規定されたセーフエリア外領域の一部又は当該セーフエリア外領域の全部に、前記表示位置が予め設定されることを特徴とする請求項１に記載の基準レベル表示装置。
【請求項３】
前記表示画面のアスペクト比を取得し、取得した前記表示画面と前記高ダイナミックレンジ映像とのアスペクト比が一致する場合、前記表示画面に前記余白領域が無いと判定し、
当該アスペクト比が一致しない場合、前記表示画面に前記余白領域が有ると判定する余白領域判定部、をさらに備え、
前記映像合成部は、前記余白領域が無いと判定された場合、前記高ダイナミックレンジ映像の周辺の一部又は当該周辺の全部に前記表示位置を決定し、前記余白領域が有ると判定された場合、前記余白領域の一部又は当該余白領域の全部に前記表示位置を決定することを特徴とする請求項１に記載の基準レベル表示装置。
【請求項４】
前記基準レベル映像生成部は、複数の前記基準レベルが予め設定され、それぞれの前記基準レベルを表す前記基準レベル映像を生成することを特徴とする請求項１から請求項３の何れか一項に記載の基準レベル表示装置。
【請求項５】
前記高ダイナミックレンジ映像を縮小した縮小映像を生成する映像縮小部、をさらに備え、
前記映像合成部は、前記縮小映像が表示されない前記表示画面の周辺となる余白領域の一部又は当該余白領域の全部に、前記表示位置が予め設定されることを特徴とする請求項１に記載の基準レベル表示装置。
【請求項６】
コンピュータを、請求項１から請求項５の何れか一項に記載の基準レベル表示装置として機能させるためのプログラム。
【発明の詳細な説明】
【技術分野】
【０００１】
本発明は、テレビ番組の制作者による映像信号レベルの調整を補助するための基準レベル表示装置及びそのプログラムに関する。
【背景技術】
【０００２】
従来、テレビ番組制作等において、制作者が映像信号レベルを適切に調整するため、図１３のような映像調整システム９０が用いられる。この映像調整システム９０では、制作者が、映像モニタ２０と波形モニタ３０の両方を確認し、映像調整装置１０で映像信号レベルを調整することになる。
【０００３】
ここで、高ダイナミックレンジ(ＨＤＲ:High Dynamic Range)映像は、従来のダイナミックレンジ(ＳＤＲ:Standard Dynamic Range)映像に比べて、映像の明暗幅が大きく、かつ、最大輝度が高い映像モニタ２０で表示されることを前提に制作されている。ダイナミックレンジが狭い映像や過度に明るい映像が制作されず、かつ、番組間で明るさの一貫性を保つことを目的に、ＨＤＲ用の基準レベルがＩＴＵ−ＲレポートＢＴ．２４０８に示されている（非特許文献１）。この基準レベルは、反射率１００%の被写体やグラフィクス白に対する映像信号レベルを、ＨＬＧ（Hybrid Log Gamma）方式では映像信号レベル７５％、ＰＱ（Perceptual Quantization）方式では映像信号レベル５８％とするものである。これらは、ピーク輝度１０００ｃｄ／ｍ２のディスプレイにおいて２０３ｃｄ／ｍ２の輝度に相当する。テレビ番組制作等においては、この基準レベルを考慮した運用が望まれ、波形モニタ３０に映像信号レベル７５％（ＨＬＧ方式の場合）を示すマーカを付けたり、画面内の二次元的な映像信号レベル分布を濃淡や色で表現することが行われている（特許文献１）。
【先行技術文献】
【特許文献】
【０００４】
【特許文献１】特許第４１８１６２５号公報
【非特許文献】
【０００５】
【非特許文献１】“Operational practices in HDR television production”、［online］、［平成３０年４月２日検索］、インターネット〈URL：https://www.itu.int/pub/R-REP-BT.2408>
【発明の概要】
【発明が解決しようとする課題】
【０００６】
しかし、テレビ番組制作等では、制作者が最終的な画質を映像モニタ２０で確認する必要があり、映像モニタ２０と波形モニタ３０を併用するのは煩雑である。さらに、制作者が明るい映像を見続けた場合、目の順応により映像モニタ２０に表示された映像の明るさの感じ方が変化する。これにより、制作者が、波形モニタ３０の映像信号レベルと映像モニタ２０に表示された映像の明るさとの間に不一致を感じる可能性や、意図せずに明るい映像を制作する可能性もある。
【０００７】
そこで、本発明は、制作者が映像信号レベルを簡易、正確に判断できる基準レベル表示装置及びそのプログラムを提供することを課題とする。
【課題を解決するための手段】
【０００８】
前記した課題に鑑みて、本発明に係る基準レベル表示装置は、高ダイナミックレンジ映像を表示する映像表示装置の表示画面の周辺部に、基準レベルを表す基準レベル映像を表示する基準レベル表示装置であって、予め設定された基準レベルで基準レベル映像を生成する基準レベル映像生成部と、高ダイナミックレンジ映像に対して、基準レベル映像生成部が生成した基準レベル映像を予め設定された表示位置に合成する映像合成部と、を備える構成とした。
【０００９】
かかる基準レベル表示装置によれば、映像合成部は、表示画面と高ダイナミックレンジ映像とのアスペクト比が一致する場合、高ダイナミックレンジ映像の周辺の一部又は周辺の全部に重ねて、表示位置が予め設定される。さらに、映像合成部は、表示画面と高ダイナミックレンジ映像とのアスペクト比が一致せずに高ダイナミックレンジ映像に対して表示画面が縦長又は横長となる場合、高ダイナミックレンジ映像が表示されない表示画面の周辺となる余白領域の一部又は余白領域の全部に、表示位置が予め設定される。
【００１０】
このように、基準レベル表示装置は、高ダイナミックレンジ映像と基準レベル映像とを同時に映像表示装置に表示するので、制作者が基準レベルを確認しながら、高ダイナミックレンジ映像の映像信号レベルを調整することができる。このとき、基準レベル表示装置は、高ダイナミックレンジ映像の周辺又は表示画面の余白領域に基準レベル映像を表示するので、基準レベル映像が高ダイナミックレンジ映像を確認する際の邪魔となりにくい。
【００１１】
なお、前記した基準レベル表示装置は、一般的なコンピュータを前記した各手段として協調動作させるプログラムで実現することもできる。
【発明の効果】
【００１２】
本発明によれば、以下のような優れた効果を奏する。
本発明に係る基準レベル表示装置は、高ダイナミックレンジ映像の周辺又は表示画面の余白領域に基準レベル映像を同時に表示することができる。これにより、基準レベル表示装置では、基準レベル映像が高ダイナミックレンジ映像を確認する際の邪魔となりにくく、制作者が映像信号レベルを簡易、正確に判断することができる。
【図面の簡単な説明】
【００１３】
【図１】第１実施形態における映像調整システムの構成を示すブロック図である。
【図２】第１実施形態においてセーフエリアを説明する説明図である。
【図３】第１実施形態において合成映像の一例を説明する説明図であり、（ａ）では基準レベル映像が右側のセーフエリア外領域に重ねて合成され、（ｂ）では、基準レベル映像が右側のセーフエリア外領域に表示され、（ｃ）では左右両側のセーフエリア外領域に表示され、（ｄ）では左側のセーフエリア外領域に表示されている。
【図４】第１実施形態において合成映像の一例を説明する説明図であり、（ａ）では基準レベル映像が上側のセーフエリア外領域に重ねて合成され、（ｂ）では基準レベル映像が上側のセーフエリア外領域に表示され、（ｃ）では上下両側のセーフエリア外領域に表示され、（ｄ）では下側のセーフエリア外領域に表示されている。
【図５】第１実施形態において、複数の基準レベルを設定したときの合成映像の一例を説明する説明図である。
【図６】第１実施形態において、複数の基準レベルを設定したときの合成映像の一例を説明する説明図である。
【図７】図１の映像信号レベル調整補助装置の動作を示すフローチャートである。
【図８】第２実施形態において合成映像の一例を説明する説明図であり、（ａ）では基準レベル映像がＨＤＲ映像の右側に重ならないように合成され、（ｂ）では基準レベル映像がＨＤＲ映像の右側に表示され、（ｃ）ではＨＤＲ映像の左右両側に表示され、（ｄ）ではＨＤＲ映像の左側に表示されている。
【図９】第２実施形態において合成映像の一例を説明する説明図であり、（ａ）では基準レベル映像がＨＤＲ映像の上側に重ならないように合成され、（ｂ）では基準レベル映像がＨＤＲ映像の上側に表示され、（ｃ）ではＨＤＲ映像の上下両側に表示され、（ｄ）ではＨＤＲ映像の下側に表示されている。
【図１０】第３実施形態における映像調整システムの構成を示すブロック図である。
【図１１】第４実施形態における映像調整システムの構成を示すブロック図である。
【図１２】第４実施形態において合成映像の一例を説明する説明図であり、（ａ）はＨＤＲ映像を表し、（ｂ）は縮小映像を表し、（ｃ）は合成映像を表す。
【図１３】従来における映像信号レベルの調整を説明する説明図である。
【発明を実施するための形態】
【００１４】
以下、本発明の各実施形態について、適宜図面を参照しながら詳細に説明する。なお、各実施形態において、同一の手段には同一の符号を付し、説明を省略した。
【００１５】
（第１実施形態）
［映像調整システム］
図１を参照し、第１実施形態における映像調整システム１００の構成について説明する。
映像調整システム１００は、制作者がＨＤＲ映像の映像信号レベルを調整するものである。図１に示すように、映像調整システム１００は、映像調整装置１０と、映像モニタ（映像表示装置）２０と、波形モニタ３０と、映像信号レベル調整補助装置（基準レベル表示装置）４０と、映像切替手段５０とを備える。
【００１６】
本実施形態では、例えば、ＨＤＲ映像のアスペクト比が、ＵＨＤＴＶ（Ultra High Definition Television）フォーマットに準じた１６：９であることとする。
以後、映像信号レベル調整補助装置４０を「補助装置４０」と略記する。また、図１では、制作者による映像モニタ２０及び波形モニタ３０の監視、基準レベル及び表示位置の指示、映像信号レベルの調整、ＨＤＲ映像又は合成映像の切替などを破線で図示した。
【００１７】
映像調整装置１０は、ＨＤＲ映像が入力され、入力されたＨＤＲ映像の調整を制作者が行うものである。例えば、映像調整装置１０は、制作者がＨＤＲ映像の映像信号レベル、色や階調特性などを手動で調整する一般的な映像調整装置である。そして、映像調整装置１０は、ＨＤＲ映像を補助装置４０及び映像切替手段５０に出力し、ＨＤＲ映像を映像蓄積装置（不図示）などに出力する。
なお、映像調整装置１０は、一般的なものであり、本発明に直接関係しないため、これ以上の説明を省略する。
【００１８】
映像モニタ２０は、後記する補助装置４０から入力された合成映像を表示するものである。本実施形態では、例えば、映像モニタ２０が、表示画面のアスペクト比が１６：９となるマスタモニタであることとする。ここで、合成映像とは、ＨＤＲ映像の周辺に基準レベル映像が合成された映像のことである。
【００１９】
波形モニタ３０は、後記する映像切替手段５０から入力されたＨＤＲ映像又は合成映像について、映像信号レベル等の画像特性を表示するものである。例えば、波形モニタ３０は、映像信号レベルにおける水平又は垂直の一次元的な特性を波形で表示したり、水平及び垂直の二次元的な分布を濃淡や色の違いで表示したりする。
【００２０】
映像切替手段５０は、映像調整装置１０から入力されたＨＤＲ映像、又は、補助装置４０から入力された合成映像を切り替えて、波形モニタ３０に出力するものである。例えば、映像切替手段５０は、制作者が手動で切り替え可能な一般的なスイッチである。本実施形態では、映像切替手段５０が、補助装置４０からの合成映像を出力するように切り替えられている。
【００２１】
なお、映像モニタ２０、波形モニタ３０及び映像切替手段５０は、一般的なものであるため、これ以上の説明を省略する。また、波形モニタ３０及び映像切替手段５０の有無は、本発明に直接関係しない。また、図１では、波形モニタ３０及び映像切替手段５０を別々に図示したが、波形モニタ３０が映像切替手段５０を内蔵してもよい。
【００２２】
［補助装置の構成］
補助装置４０は、制作者による映像信号レベルの調整を補助するために、基準レベル映像と映像調整装置１０から入力されたＨＤＲ映像との合成映像を映像モニタ２０に表示するものである。図１に示すように、補助装置４０は、基準レベル映像生成部４１と、映像合成部４３とを備える。
【００２３】
本実施形態では、制作者が、図示を省略したスイッチ、ボタン、マウス、キーボード等の操作手段を用いて、基準レベル・表示位置指示を基準レベル映像生成部４１に設定（指示）することとする。また、基準レベル・表示位置指示は、補助装置４０の既定値として予め設定しておくこととしてもよい。
【００２４】
基準レベル・表示位置指示とは、基準レベル、基準レベル映像の表示位置、及び、基準レベル映像の表示・非表示を補助装置４０に指示するものである。
基準レベルとは、映像制作の際に基準となる映像信号レベル（ビデオレベル）を表すものである。この基準レベルは、ＩＴＵ−ＲレポートＢＴ．２４０８に従い、ＰＱ方式であれば５８％、ＨＬＧ方式であれば７５％に設定することが好ましい。また、基準レベルは、６３％のように制作者の裁量で任意に設定することもできる。この基準レベル６３％は、ＨＬＧ方式の場合、ピーク輝度１０００ｃｄ／ｍ２のディスプレイにおいて１００ｃｄ／ｍ２の輝度に相当する。
【００２５】
表示位置とは、映像モニタ２０の表示画面に基準レベル映像を表示する位置、及び、基準レベル映像の表示・非表示を表すものである。この表示位置は、表示画面とＨＤＲ映像とのアスペクト比を考慮し、制作者の裁量で任意に設定することができる。本実施形態では、表示位置は、表示画面とＨＤＲとのアスペクト比が一致するので、ＨＤＲ映像の周辺の一部又はその周辺の全部に設定されていることとする。
【００２６】
基準レベル映像生成部４１は、制作者が設定した基準レベルで基準レベル映像を生成するものである。そして、基準レベル映像生成部４１は、生成した基準レベル映像と、基準レベル・表示位置指示とを映像合成部４３に出力する。
この基準レベル映像は、制作者が設定した基準レベルを表す無彩色画像である。例えば、基準レベル映像は、基準レベルが高くなる程に明るく（白く）なり、基準レベルが低くなる程に暗く（黒く）なる画像である。
【００２７】
映像合成部４３は、映像調整装置１０からのＨＤＲ映像に対して、基準レベル映像生成部４１からの基準レベル映像を、基準レベル・表示位置指示の表示位置に合成するものである。つまり、映像合成部４３は、ＨＤＲ映像の周辺の一部又はその周辺の全部に基準レベル映像を合成して合成映像を生成する。そして、映像合成部４３は、生成した合成映像を映像モニタ２０及び映像切替手段５０に出力する。
【００２８】
＜合成映像の具体例＞
図２〜図６を参照し、本実施形態における合成映像の一例について説明する。
ＩＴＵ−Ｒ勧告ＢＴ．１８４８は、映像の周辺の所定範囲にセーフエリア(safe area)を規定している。図２に示すように、セーフエリアとして、アクションセーフマージン(action safe margin)Ａと、グラフィックセーフマージン(graphics safe margin)Ｇとが規定されている。グラフィックセーフマージンＧは、タイトル等の重要な情報を表示するエリアであり、映像Ｐのうち、上下左右に５％残した範囲となる。また、アクションセーフマージンＡは、その他の情報を表示するエリアであり、映像Ｐのうち、上下左右に３．５％残した範囲となる。例えば、３８４０×２１６０画素の４Ｋ−ＵＨＤＴＶフォーマットの場合、ＨＤＲ映像の左右両端各１３４画素及び上下両端各７６画素の範囲ＮＡが、セーフエリア（アクションセーフマージンＡ）から外れたセーフエリア外領域となる。この規定を考慮し、ＨＤＲ映像のセーフエリア外領域に基準レベル映像を合成表示すれば、映像制作への影響を最小限に留めることができる。
なお、本実施形態では、セーフエリアの規定に従ってセーフエリア外領域に基準レベル映像を合成表示するように設定されているが、セーフエリア外領域と基準レベル映像の合成表示領域とを一致させなくてもよい。
【００２９】
図３及び図４に示すように、基準レベル映像ＰＬは、ＨＤＲ映像ＰＨの上下左右のセーフエリア外領域の一部のみに合成表示してもよい（ハッチングで図示）。
図３（ａ）では、基準レベル映像ＰＬが、ＨＤＲ映像ＰＨの右側のセーフエリア外領域に重なるように合成されている。従って、図３（ｂ）の合成映像ＰＳでは、基準レベル映像ＰＬが、ＨＤＲ映像ＰＨの右側のセーフエリア外領域に表示されている。
また、基準レベル映像ＰＬが、図３（ｃ）では左右両側のセーフエリア外領域に表示され、図３（ｄ）では左側のセーフエリア外領域に表示されている。
【００３０】
図４（ａ）では、基準レベル映像ＰＬが、ＨＤＲ映像ＰＨの上側のセーフエリア外領域に重なるように合成されている。従って、図４（ｂ）の合成映像ＰＳでは、基準レベル映像ＰＬが、上側のセーフエリア外領域に表示されている。
また、基準レベル映像ＰＬが、図４（ｃ）では上下両側のセーフエリア外領域に表示され、図４（ｃ）では下側のセーフエリア外領域に表示されている。
なお、これらの他、右側と上側のセーフエリア外領域など、任意位置のセーフエリア外領域に基準レベル映像ＰＬを表示してもよい（不図示）。
【００３１】
図５に示すように、基準レベル映像ＰＬは、セーフエリア外領域の全部に重ねるように合成してもよい。つまり、図５では、基準レベル映像ＰＬが上下左右全域のセーフエリア外領域に表示されている。
【００３２】
ここで、制作者の裁量で、複数の基準レベルを設定することもできる。この場合、基準レベル映像ＰＬは、それぞれの基準レベルを異なる領域に表示することになる。図５に示すように、基準レベル映像ＰＬの左右両側で７５％（ＨＬＧ方式の基準レベル）を表し（ハッチングで図示）、上下両側で最大映像信号レベルの１００％を表してもよい（ドットで図示）。また、図６に示すように、基準レベル映像ＰＬの右側上半分で７５％を表し（ハッチングで図示）、右側下半分で１００％を表してもよい（ドットで図示）。
これにより、制作者が、最大映像信号レベルとＨＬＧ方式の基準レベルのように、異なる映像信号レベルを同時に確認できる。
なお、図５の基準レベル映像ＰＬが上下左右の位置によって異なる基準レベルを表しているが、基準レベル映像ＰＬの上下左右で同一の基準レベルを表してもよい。
【００３３】
［補助装置の動作］
図７を参照し、補助装置４０の動作について説明する。
図７に示すように、制作者が操作手段を用いて、基準レベル、表示位置、及び、基準レベル映像の表示・非表示を基準レベル映像生成部４１に設定する（ステップＳ１）。
基準レベル映像生成部４１は、ステップＳ１で設定された基準レベルを表す基準レベル映像ＰＬを生成する（ステップＳ２）。
映像合成部４３は、映像調整装置１０からのＨＤＲ映像ＰＨに対して、ステップＳ２で生成した基準レベル映像ＰＬを、ステップＳ１で設定された表示位置に合成する（ステップＳ３）。
その後、映像合成部４３は、ステップＳ３で生成した合成映像ＰＳを映像モニタ２０に表示する。
【００３４】
［作用・効果］
以上のように、補助装置４０は、ＨＤＲ映像ＰＨのセーフエリア外領域に基準レベル映像ＰＬを同時に表示するので、制作者がＨＤＲ映像ＰＨと基準レベルとを同時に確認することができる。これにより、基準レベル映像ＰＬがＨＤＲ映像ＰＨを確認する際の邪魔となりにくく、制作者が映像信号レベルを簡易、正確に判断することができる。
【００３５】
（第２実施形態）
図１を参照し、第２実施形態における映像調整システム１００Ｂについて、第１実施形態と異なる点を説明する。
第１実施形態では、基準レベル映像ＰＬがＨＤＲ映像ＰＨのセーフエリア外領域に表示されることとして説明した。つまり、第１実施形態では、基準レベル映像ＰＬは、ＨＤＲ映像ＰＨに重なるように、ＨＤＲ映像ＰＨの周辺に表示されている。
これに対し、第２実施形態では、基準レベル映像ＰＬは、ＨＤＲ映像ＰＨが表示されない表示画面の余白領域に表示される点が、第１実施形態と異なる。つまり、基準レベル映像ＰＬは、ＨＤＲ映像ＰＨに重ならないように、映像モニタ２０Ｂの表示画面の周辺に表示されている。
【００３６】
図１に示すように、映像調整システム１００Ｂは、映像調整装置１０と、映像モニタ２０Ｂと、波形モニタ３０と、補助装置４０Ｂと、映像切替手段５０とを備える。
映像モニタ２０Ｂは、後記する補助装置４０Ｂから入力された合成映像ＰＳを表示するものである。本実施形態では、映像モニタ２０Ｂの表示画面が、ＨＤＲ映像ＰＨのアスペクト比に対して縦長又は横長となっている。例えば、ＨＤＲ映像ＰＨのアスペクト比１６：９に対して、映像モニタ２０Ｂのアスペクト比が１６：１１（縦長）や１８：９（横長）となる。
他の点、映像モニタ２０Ｂは、第１実施形態と同様のため、これ以上の説明を省略する。
【００３７】
補助装置４０Ｂは、基準レベル映像生成部４１と、映像合成部４３Ｂとを備える。
本実施形態では、表示画面とＨＤＲ映像ＰＨとのアスペクト比が一致せず、ＨＤＲ映像ＰＨのアスペクト比に対して表示画面が縦長又は横長になっている。このため、基準レベル映像ＰＬの表示位置が、ＨＤＲ映像ＰＨが表示されない表示画面の周辺となる余白領域の一部又は余白領域の全部に予め設定されていることとする。
【００３８】
映像合成部４３Ｂは、映像調整装置１０からのＨＤＲ映像ＰＨに対して、基準レベル映像生成部４１からの基準レベル映像ＰＬを、基準レベル・表示位置指示の表示位置に合成するものである。つまり、映像合成部４３Ｂは、映像モニタ２０Ｂの表示画面の周辺となる余白領域の一部又は余白領域の全部に基準レベル映像ＰＬを合成し、合成映像ＰＳを生成する。
このように、補助装置４０Ｂは、映像モニタ２０Ｂの表示画面がＨＤＲ映像ＰＨのアスペクト比に対して縦長又は横長の場合、映像モニタ２０ＢにＨＤＲ映像ＰＨの全体を表示しつつ、余白領域に基準レベル映像ＰＬも表示できる。
【００３９】
＜合成映像の具体例＞
図８及び図９を参照し、本実施形態における合成映像ＰＳの具体例について説明する。
図８では、映像モニタ２０Ｂが横長（アスペクト比１８：９）なので、映像モニタ２０Ｂの表示画面の左右が余白領域となる。つまり、基準レベル映像ＰＬは、映像モニタ２０Ｂの表示画面の左右に表示すればよい。ここで、図８（ａ）では、基準レベル映像ＰＬが、ＨＤＲ映像ＰＨに重ならないように、そのＨＤＲ映像ＰＨの右側に合成されている。従って、基準レベル映像ＰＬが、図８（ｂ）ではＨＤＲ映像ＰＨの右側に表示されている。
また、基準レベル映像ＰＬが、図８（ｃ）ではＨＤＲ映像ＰＨの左右両側に表示され、図８（ｄ）ではＨＤＲ映像ＰＨの左側に表示されている。
【００４０】
図９では、映像モニタ２０Ｂが縦長（アスペクト比１６：１１）なので、映像モニタ２０Ｂの表示画面の上下が余白領域となる。つまり、基準レベル映像ＰＬは、映像モニタ２０Ｂの表示画面の上下に表示すればよい。ここで、図９（ａ）では、基準レベル映像ＰＬが、ＨＤＲ映像ＰＨに重ならないように、そのＨＤＲ映像ＰＨの上側に合成されている。従って、基準レベル映像ＰＬが、図９（ｂ）ではＨＤＲ映像ＰＨの上側に表示されている。
また、基準レベル映像ＰＬが、図９（ｃ）ではＨＤＲ映像ＰＨの上下両側に表示され、図９（ｄ）ではＨＤＲ映像ＰＨの下側に表示されている。
なお、第１実施形態と同様、複数の基準レベルを設定してもよい（不図示）。
【００４１】
［作用・効果］
以上のように、補助装置４０Ｂは、映像モニタ２０Ｂの表示画面の余白領域に基準レベル映像ＰＬを表示するので、ＨＤＲ映像ＰＨの一部が基準レベル映像ＰＬと重なることがなく、制作者がＨＤＲ映像ＰＨと基準レベルとを同時に確認することができる。これにより、補助装置４０Ｂでは、基準レベル映像ＰＬがＨＤＲ映像ＰＨを確認する際の邪魔とならないので、制作者が映像信号レベルを簡易、正確に判断することができる。
【００４２】
（第３実施形態）
図１０を参照し、第３実施形態における映像調整システム１００Ｃについて、第１実施形態と異なる点を説明する。
第１実施形態では、基準レベルの表示位置を手動で設定することとして説明した。これに対し、第３実施形態では、基準レベルの表示位置を自動で決定する点が、第１実施形態と異なる。
図１０に示すように、補助装置４０Ｃは、基準レベル映像生成部４１と、映像合成部４３Ｃと、余白領域判定部４５とを備える。
【００４３】
余白領域判定部４５は、映像モニタ２０，２０Ｂの表示画面のアスペクト比を取得し、取得した表示画面とＨＤＲ映像ＰＨとのアスペクト比を比較することで、余白領域の有無を判定するものである。例えば、映像モニタ２０，２０Ｂの解像度やアスペクト比の情報は、映像モニタ２０，２０Ｂに格納されているＥＤＩＤ（Extended Display Identification Data）に記述されており、ＤＶＩ（Digital Visual Interface）又はＨＤＭＩ（High Definition Multimedia Interface）を介して取得できる。
【００４４】
ここで、余白領域判定部４５は、映像モニタ２０，２０Ｂの表示画面とＨＤＲ映像ＰＨとのアスペクト比が一致する場合、余白領域が無いと判定する。例えば、余白領域判定部４５は、補助装置４０Ｃに映像モニタ２０が接続されている場合、両方のアスペクト比が１６：９と一致するため、余白領域が無いと判定する。
【００４５】
一方、余白領域判定部４５は、映像モニタ２０，２０Ｂの表示画面とＨＤＲ映像ＰＨとのアスペクト比が一致しない場合、ＨＤＲ映像ＰＨのアスペクト比に対して映像モニタ２０Ｂが縦長又は横長であるかにより、余白領域の位置を判定する。
例えば、アスペクト比１８：９の映像モニタ２０Ｂが補助装置４０Ｃに接続されている場合を考える。この場合、余白領域判定部４５は、ＨＤＲ映像ＰＨのアスペクト比１６：９と映像モニタ２０Ｂのアスペクト比１８：９とを比較し、余白領域の位置を映像モニタ２０Ｂの左右と判定する。
また、例えば、アスペクト比１６：１１の映像モニタ２０Ｂが補助装置４０Ｃに接続されている場合を考える。この場合、余白領域判定部４５は、ＨＤＲ映像ＰＨのアスペクト比１６：９と映像モニタ２０Ｂのアスペクト比１６：１１とを比較し、余白領域の位置を映像モニタ２０Ｂの上下と判定する。
【００４６】
その後、余白領域判定部４５は、基準レベル映像生成部４１を介して、前記した判定結果を映像合成部４３Ｃに出力する。この判定結果は、余白領域の有無と、余白領域が有る場合には余白領域の位置とを表す。
【００４７】
映像合成部４３Ｃは、余白領域判定部４５から入力された判定結果に基づいて、基準レベル映像ＰＬの表示位置を決定するものである。
ここで、映像合成部４３Ｃは、余白領域が無いと判定された場合、第１実施形態と同様、セーフエリア外領域の一部又はセーフエリア外領域の全部に表示位置を決定する。
一方、映像合成部４３Ｃは、余白領域が有ると判定された場合、第２実施形態と同様、余白領域の一部又は余白領域の全部に表示位置を決定する。
なお、セーフエリア外領域や余白領域のどの部分（上側、下側、右側、左側、及び、これらの組み合わせ）に基準レベル映像ＰＬを表示するかは、予め設定しておく。
【００４８】
［作用・効果］
以上のように、補助装置４０Ｃは、基準レベル映像ＰＬの表示位置を自動で決定できるので、制作者による設定の手間や設定ミスを低減し、より利便性を向上させることができる。
【００４９】
（第４実施形態）
図１１を参照し、第４実施形態における映像調整システム１００Ｄについて、第１実施形態と異なる点を説明する。
第１実施形態では、ＨＤＲ映像ＰＨに基準レベル映像ＰＬを重ねて表示していた。これに対し、第４実施形態では、ＨＤＲ映像ＰＨの縮小により生じた余白領域に、基準レベル映像ＰＬを表示する点が、第１実施形態と異なる。
図１１に示すように、補助装置４０Ｄは、基準レベル映像生成部４１と、映像合成部４３Ｄと、映像縮小部４７とを備える。
【００５０】
映像縮小部４７は、図１２（ａ）及び（ｂ）に示すように、映像調整装置１０からのＨＤＲ映像ＰＨを縮小することで、縮小映像ＰＴを生成するものである。ここで、ＨＤＲ映像ＰＨの縮小率は任意であり、制作者がＨＤＲ映像ＰＨを確認し易いように、最小限の縮小に留めることが好ましい。例えば、映像縮小部４７は、前記したセーフエリアと同程度のサイズまで、ＨＤＲ映像ＰＨを縮小してもよい。
【００５１】
映像合成部４３Ｄは、図１２（ｃ）に示すように、映像縮小部４７から入力された縮小映像ＰＴに対して、基準レベル映像生成部４１から入力された基準レベル映像ＰＬを合成するものである。つまり、図１２（ｃ）の合成映像ＰＳでは、基準レベル映像ＰＬが、縮小映像ＰＴの周辺となる余白領域に表示されている。本実施形態では、映像合成部４３Ｄは、縮小映像ＰＴが表示されない表示画面の余白領域の一部又は余白領域の全部に、表示位置が予め設定されている。
なお、基準レベル映像ＰＬの合成自体は第２実施形態と同様のため、これ以上の説明を省略する。
【００５２】
以上のように、補助装置４０Ｄは、映像モニタ２０の表示画面とＨＤＲ映像ＰＨとのアスペクト比が同一の場合でも、ＨＤＲ映像ＰＨに重ねずに基準レベル映像ＰＬを表示することができる。これにより、補助装置４０Ｄでは、制作者が映像信号レベルを簡易、正確に判断することができる。
さらに、第４実施形態で説明した手法を第３実施形態と組み合わせて、余白領域が無いと判定された場合の基準レベル映像表示方法の選択肢とすることも可能である。
【００５３】
（変形例）
以上、本発明の実施形態を詳述してきたが、本発明は前記した各実施形態に限られるものではなく、本発明の要旨を逸脱しない範囲の設計変更等も含まれる。
前記した各実施形態では、制作者が補助装置に設定を行うこととして説明したが、装置製造者など制作者以外が設定を行ってもよい。
前記した各実施形態では、ＨＤＲ映像のアスペクト比がＨＤＴＶフォーマットに準じた１６：９であることとして説明したが、これに限定されない。例えば、ＨＤＲ映像のアスペクト比は、デジタルシネマフォーマットに準じた２．３５：１や、ＳＤＴＶフォーマットに準じた４：３など、任意である。
【００５４】
前記した各実施形態では、補助装置を独立したハードウェアとして説明したが、本発明は、これに限定されない。例えば、補助装置を映像モニタの内部に組み込んでもよい。また、本発明は、コンピュータが備えるＣＰＵ、メモリ、ハードディスク等のハードウェア資源を、前記した補助装置として協調動作させるプログラムで実現することもできる。これらのプログラムは、通信回線を介して配布してもよく、ＣＤ−ＲＯＭやフラッシュメモリ等の記録媒体に書き込んで配布してもよい。
【符号の説明】
【００５５】
１０  映像調整装置
２０，２０Ｂ  映像モニタ（映像表示装置）
３０  波形モニタ
４０〜４０Ｄ  映像信号レベル調整補助装置（基準レベル表示装置）
４１  基準レベル映像生成部
４３〜４３Ｄ  映像合成部
４５  余白領域判定部
４７  映像縮小部
５０  映像切替手段
９０，１００〜１００Ｄ  映像調整システム
Ａ  アクションセーフマージン
Ｇ  グラフィックセーフマージン
ＮＡ  セーフエリア外領域
Ｐ  映像
ＰＨ  ＨＤＲ映像
ＰＬ  基準レベル映像
ＰＳ  合成映像
ＰＴ  縮小映像
【図１】
2019201321.tif 000003
【図２】
2019201321.tif 000004
【図３】
2019201321.tif 000005
【図４】
2019201321.tif 000006
【図５】
2019201321.tif 000007
【図６】
2019201321.tif 000008
【図７】
2019201321.tif 000009
【図８】
2019201321.tif 000010
【図９】
2019201321.tif 000011
【図１０】
2019201321.tif 000012
【図１１】
2019201321.tif 000013
【図１２】
2019201321.tif 000014
【図１３】
2019201321.tif 000015